(57)【要約】【課題】電子装置に異なる角度の回転を行わせることができる二回転軸構造の提供。【解決手段】連接片、抵抗回転軸及びカム回転軸で構成された二回転軸構造により、電子装置の第１機体と第２機体を連結し、使用者が自己の習慣により、回転して一般のノートブック型コンピュータの操作状態となすか、或いは、回転して背中合わせの操作状態となすことができ、これにより使用者が手に保持するか或いは卓上に置いて入力操作するのに便利である。【選択図】図４
2009222077.tif 000002
【特許請求の範囲】
【請求項１】
超広角二回転軸構造において、該超広角二回転軸構造は連接片、抵抗回転軸、及びカム回転軸で構成され、
該連接片は、該抵抗回転軸と接続されそれを制限する第１制限孔と、該カム回転軸と接続されてそれを制限する第２制限孔を具え、
該抵抗回転軸は、その一端が固定軸とされ、該固定軸は該連接片に固定され、該抵抗回転軸の別端は可動の軸スリーブとされ、
該カム回転軸は、その一端が該連接片に接続、制限され、並びにその軸が固定片、第１ブロック、第２ブロック及びバネに通され、さらにナットが螺合され、
該抵抗回転軸が第１段回転の軸とされ、回転してノートブック型コンピュータのような使用形態とでき、さらに該カム回転軸を第２段回転の軸とし、回転してフラットパネルコンピュータのような背中合わせの使用形態とできることを特徴とする、超広角二回転軸構造。
【請求項２】
請求項１記載の超広角二回転軸構造において、該超広角二回転軸構造は電子装置に取り付けられて、第１機体と第２機体を連接することを特徴とする、超広角二回転軸構造。
【請求項３】
請求項２記載の超広角二回転軸構造において、該第１機体にスクリーンが設けられ、該第２機体に少なくとも一つのキーエリアが設けられたことを特徴とする、超広角二回転軸構造。
【請求項４】
請求項１又は２記載の超広角二回転軸構造において、該軸スリーブの別側に、電子装置の第１機体の一側端にネジ止めするための少なくとも一つのネジ止め孔が設けられたことを特徴とする、超広角二回転軸構造。
【請求項５】
請求項１又は２記載の超広角二回転軸構造において、該固定片は電子装置の第２機体の一側端にネジ止めされることを特徴とする、超広角二回転軸構造。
【請求項６】
請求項１又は２記載の超広角二回転軸構造において、該固定片は第１片と該第１片に直角に接続された第２片を具え、該第２片は第２機体の一側端にネジ止めされることを特徴とする、超広角二回転軸構造。
【請求項７】
請求項１記載の超広角二回転軸構造において、該第１制限孔と第２制限孔が非円形の貫通孔とされたことを特徴とする、超広角二回転軸構造。
【請求項８】
請求項１記載の超広角二回転軸構造において、該軸スリーブが軸孔を具え、該固定軸の軸が該軸孔内に挿入されることを特徴とする、超広角二回転軸構造。
【請求項９】
請求項１記載の超広角二回転軸構造において、該軸が該連接片の該第２制限孔に通され、該軸の一端にネジ部が設けられ、該軸に多角形部が設けられ、該多角形部が該連接片の該第２制限孔に接続、制限され、該連接片と協動することを特徴とする、超広角二回転軸構造。
【請求項１０】
請求項１記載の超広角二回転軸構造において、該第１ブロックの一側面に第１カム作用面が設けられたことを特徴とする、超広角二回転軸構造。
【請求項１１】
請求項１記載の超広角二回転軸構造において、該第２ブロックの一側面に第２カム作用面が設けられたことを特徴とする、超広角二回転軸構造。
【発明の詳細な説明】
【技術分野】
【０００１】
本発明は一種の超広角二回転軸構造に係り、特に、電子装置に異なる角度の回転を行わせる二回転軸構造であって、使用者が手で持つか或いは卓上に置いて入力操作を行える超広角二回転軸構造に関する。
【背景技術】
【０００２】
コンピュータはポータブルの方向に発展し、各メーカーは携行していつでもどこでも操作できるコンピュータを進めており、電力の持久力と演算性能は考慮しなくてはならず、これは半導体メーカーによる省エネの装置の開発と、電池メーカーによる高容量のバッテリーの電池の開発に依存する。しかし、場所の制限を受けないメカニズムはシステム設計業者の設計に依存し、現行のノートブック型コンピュータは二つ折り式の機体を採用し、その一方はディスプレイとされ、もう一方の期待にはキーボードが設けられ、二つ折り方式により、両者が展開される時は、略垂直とされ、卓上に置いて使用するのに便利である。しかし手で保持して操作するのには不利である。手に保持して操作をするための方法としては、フラットパネルコンピュータが主流であり、いわゆるフラットパネルコンピュータはスクリーンがコンピュータ本体上面に設計され、使用者はコンピュータを片手で保持し、もう一方の手でタッチペンでスクリーン上で機能をクリックするか、或いは内容を書写する。
【０００３】
フラットパネルコンピュータは手で保持して操作できるが、多くのコンピュータの重要な作業は文字入力に関係し、フラットパネルコンピュータはタッチペンによる書写方式が主要な入力方法であり、このような入力方法はキーボードによる入力に比べて緩慢で手間取り、携帯の便利性の面では大きな進歩があるものの、入力の便利性の面では却って後退している。ゆえに、フラットパネルコンピュータは特殊な用途、例えば医者による病室巡回、棚卸し等、選択項目を選択するだけでよく、文字入力が比較的少ない用途に制限される。
【０００４】
フラットパネルコンピュータのなかには入力の問題を解決するため、タッチスクリーン上に扇形のキーボード表を設計し、使用者が両手でコンピュータを保持し、両手の親指で押圧動作を行えるものとしている。しかし、両手でコンピュータを保持しているため、親指の移動範囲は制限され、さらに、親指は本来、器用ではないため、操作速度は一般の実体キーボードに遥かに及ばない。
【０００５】
別の設計は、スライド式の実体キーボードであり、大量の文字入力が必要であるとき、内部に内蔵された実体コンピュータを滑り出させて使用できる。しかし、この方法はタッチスクリーン上のタッチモードのキーボードと同様、親指以外の手指でコンピュータを保持しつつ、親指で操作しなければならず、手で保持する部分はキーボードとされ、さらにスクリーンからキーボードが延長された後、コンピュータの重心は両手の外にかかり、使用者は保持するのに苦労し且つ長く保持することができない。
【発明の開示】
【発明が解決しようとする課題】
【０００６】
上述の問題を解決しようとすれば、キーとスクリーンを背中合わせとし、スクリーン中にキーボード表を表示する方式により、背向するキーに対応し、並びにキーにタッチセンサを設置し、目でスクリーン上に示されるキーボード表を通して、背後のキーの分布状況及び手指位置を判断すれば、親指以外の全ての手指によりキーボードを操作できる。
【０００７】
しかし、このような全く新しい操作インタフェース及び方法は、使用者に対して接触上の障礙を形成し得て、使用者は最初に使用する時、慣れていないために、購入意欲或いは使用意欲を喪失してしまう恐れがある。このため、もし、使用者に伝統的なノートブック型コンピュータの操作方式を含む二種類の使用方式の選択を提供できれば、大幅に使用者の抵抗感を低減できるであろう。この伝統的なノートブック型コンピュータの使用方式では、図１に示されるように、スクリーン９１の展開可能な角度θ１は約９０度であり、キーボード９２１は本体９２の上方に置かれ、このような操作方式の長所はすでに使用者の習慣になっており、障礙がないことであり、その欠点は台の上でなければ使用できないことである。
【０００８】
周知の技術の欠点を鑑み、上述の問題を解決するためには、スクリーンは超広角の回転可能であり、且つその回転角度は少なくとも２７０度以上でなければならず、それによって親指以外の手指でキーエリアの一面を保持する時、スクリーンが使用者に対面し、また本体とスクリーンが閉じあわされる時の総夾角が９０度より大きくてはならない。ゆえに、このような機能を可能とする構造が求められている。
【課題を解決するための手段】
【０００９】
本発明は、一種の超広角二回転軸構造を提供し、それは、連接片、抵抗回転軸及びカム回転軸で構成された二回転軸構造により、電子装置の第１機体と第２機体を連結し、使用者が自己の習慣により、回転して一般のノートブック型コンピュータの操作状態となすか、或いは、回転して背中合わせの操作状態となすことができ、これにより使用者が手に保持するか或いは卓上に置いて入力操作するのに便利である。
【発明の効果】
【００１０】
本発明の二回転軸構造により、使用者に二種類の使用方式の選択を提供でき、そのうち一種類は、伝統的なノートブック型コンピュータの使用方式であり、もう一種類はスクリーンを２７０度以上回転させてキーボードとスクリーンに背中合わせの状態を形成させ、これにより使用者が新しい操作インタフェースの使用に慣れる時間を短縮する。これにより本発明は実用性と進歩性を有し、周知の技術にあった欠点を解決するのに有効である。
【発明を実施するための最良の形態】
【００１１】
図２から図６に示されるように、本発明は連接片１、抵抗回転軸２及びカム回転軸３で構成され、電子装置Ａに取り付けられて、電子装置Ａの第１機体４と第２機体５を連結し、該第１機体４上にスクリーン４１が設けられ、該第２機体５に少なくとも一つのキーエリア５１が設けられ、該キーエリア５１はタッチキーとされ得る。
【００１２】
該連接片１は、該抵抗回転軸２に接続されて該抵抗回転軸２の位置を制限する第１制限孔１１と、該カム回転軸３に接続されて該カム回転軸３の位置を制限する第２制限孔１２を具え、これら第１制限孔１１と第２制限孔１２は非円形の貫通孔とされる。
【００１３】
該抵抗回転軸２は、その一端が固定軸２２とされ、該固定軸２２は該連接片１に固定され、該抵抗回転軸２の別端は可動の軸スリーブ２１とされ、該軸スリーブ２１の一側に少なくとも一つのネジ止め孔２１１が設けられて、該第１機体４の一側端へのネジ止めに供され、該軸スリーブ２１の別側に軸孔２１２が設けられ、該固定軸２２の軸２２１が該軸孔２１２に挿入され、且つ該固定軸２２の一側に制限部２２２が設けられ、該制限部２２２は該連接片１の第１制限孔１１内に接続、制限される。
【００１４】
該カム回転軸３は、その一端が該連接片１に接続、制限され、並びにその軸３１が固定片３２、第１ブロック３３、第２ブロック３４及びバネ３５に通され、さらにナット３６が螺合される。
【００１５】
そのうち、該軸３１は、該連接片１の第２制限孔１２に通され、その一端にネジ部３１１が設けられ、該軸３１は多角形部３１２を具え、それにより該連接片１の第２制限孔１２に制限され、並びに該連接片１と協動する。
【００１６】
該固定片３２は第１片３２１と該第１片３２１と直角を呈するように接続された第２片３２２を具え、該第１片３２１に貫通孔３２１１と位置決め孔３２１２を具え、第２片３２２は該第２機体５の一側端にネジ止めされる。
【００１７】
該第１ブロック３３は、該軸３１を通すための円形穿孔３３１を具え、該第１ブロック３３の一側面に第１カム作用面３３２が設けられ、もう一つの側面３３４に係止柱３３５が設けられ、該係止柱３３５は該固定片３２の位置決め孔３２１２中に係合する。
【００１８】
該第２ブロック３４は矩形穿孔３４１を具え、該矩形穿孔３４１に該軸３１が通され並びにそれと協動し、該第２ブロック３４の一側面に第２カム作用面３４２が設けられて、該第１ブロック３３の第１カム作用面３３２と相互に噛み合う。
【００１９】
該バネ３５は、常態で該第２ブロック３４を押圧している。
【００２０】
該ナット３６は、該軸３１のネジ部３１１に螺合され、並びに上述の各部品を制限し、且つ該バネ３５の該第２ブロック３４を押圧する弾力の大きさを調整でき、これにより該第２ブロック３４が回転する時、抵抗力を形成し、且つ該抵抗力は該抵抗回転軸２の回転時の抵抗より大きい。
【００２１】
上述の部品で構成されることで、本発明は使用者に二種類の操作方式の選択を提供する。その操作方式の一つは、伝統的なノートブック型コンピュータと同様で、その回転の最大角度は１８０度であり（図６、７、８参照）、回転時にはまず、第１機体４を開き、並びに該抵抗回転軸２の固定軸２２を利用し、それを回転時の軸とし、すなわち、第１段の回転の軸とし、該抵抗回転軸２の軸スリーブ２１は回転可能であり、該固定軸２２は固定されて不動であるため、該第１機体４は０〜１８０度の間で自由に回転し（その回転角度は９０度から１３０度が最適である）、これにより使用者はノートブック型コンピュータと同様の使用方式で該第２機体５のキーエリア５１を操作するか、或いは該第１機体４上のスクリーン４１をみることができる。もう一種類の操作方式は、該第１機体４を２７０度以上開き、第１機体４と第２機体５に背中合わせの状態を形成させ（図９、１０、１１）、回転時にはまず該第１機体４を回転させ、並びに該抵抗回転軸２の固定軸２２を軸とし、該第１機体４を１８０度回転させた後、続いて下向きに回転させ、この回転の力は該バネ３５が該第２ブロック３４を押圧する力より大きく、これにより回転の軸を軸３１とすることができ、すなわち、第２段の回転の軸となし並びに該軸３１と該第２ブロック３４を協動させる（図１１）。該第２ブロック３４はその第２カム作用面３４２が該第１カム作用面３３２と接触し、最も突出する点ｈの位置まで移動可能で、該第１機体４は該カム回転軸３を軸とし、続いて約１８０度回転可能で、ゆえにその前後回転の角度は少なくとも２７０度から３６０度となり、これにより該第１機体４と第２機体５が背中合わせの状態を呈し、使用者はフラットパネルコンピュータのような使用方式で、手で該第１機体４、第２機体５を保持して入力操作を行える。
【図面の簡単な説明】
【００２２】
【図１】周知の携帯式電子装置の使用表示図である。
【図２】本発明の実施例の立体図である。
【図３】本発明の立体図である。
【図４】本発明の立体分解図である。
【図５】本発明の断面図である。
【図６】本発明の実施例の動作表示図一である。
【図７】本発明の実施例の動作表示図二である。
【図８】本発明の実施例の断面図一である。
【図９】本発明の実施例の動作表示図三である。
【図１０】本発明の実施例の動作表示図四である。
【図１１】本発明の実施例の断面図二である。
【符号の説明】
【００２３】
１  連接片
２  抵抗回転軸
３  カム回転軸
Ａ  電子装置
４  第１機体
５  第２機体
４１  スクリーン
５１  キーエリア
１１  第１制限孔
１２  第２制限孔
２２  固定軸
２１  軸スリーブ
２１１  ネジ止め孔
２１２  軸孔
２２２  制限部
３１  軸
３２  固定片
３３  第１ブロック
３４  第２ブロック
３５  バネ
３６  ナット
３１１  ネジ部
３１２  多角形部
３２１  第１片
３２２  第２片
３２１１  貫通孔
３２１２  位置決め孔
３３１  円形穿孔
３３２  第１カム作用面
３３４  側面
３３５  係止柱
３４１  矩形穿孔
３４２  第２カム作用面
【図１】
2009222077.tif 000003
【図２】
2009222077.tif 000004
【図３】
2009222077.tif 000005
【図４】
2009222077.tif 000006
【図５】
2009222077.tif 000007
【図６】
2009222077.tif 000008
【図７】
2009222077.tif 000009
【図８】
2009222077.tif 000010
【図９】
2009222077.tif 000011
【図１０】
2009222077.tif 000012
【図１１】
2009222077.tif 000013